(57)【要約】      （修正有）【課題】簡易な構造で寿命が長く、極めて軽量コンパクトで携帯性に優れ、衝撃に強く、取り出し易さを損なわずに束ねた鍵と本体とが一体化され、鍵を本体で覆い包み、留め具で閉じられるキーケースを提供する。【解決手段】一本以上の鍵を収納するキーケースであって、キーケースは、本体１とキーホルダー２で構成される。本体１は、正面１１、側面、背面および正面１１と背面の両端部に設けられたフラップ側面１４ａ、１４ｂから形成される。両フラップ側面１４ａ、１４ｂには一対の留め具１６ａ、１６ｂを設け、本体１で鍵を覆うように折り畳み、最後にフラップ側面１４ａ、１４ｂ同士を重ね合わせ、留め具１６ａ、１６ｂで留めることにより、鍵の飛び出しを防ぐ。本体正面１１と背面の上部に一対の貫通穴１５ａを有し、収納しようとする鍵と共にキーホルダー２で一つに束ねることで一体化させ、キーケースと鍵が離脱することを防ぐ。【選択図】図１
0003222528.tif 000002
【実用新案登録請求の範囲】
【請求項１】
一本以上の鍵を収納するキーケースであって、前記キーケースは、本体とキーホルダーから成り、前記本体は、正面、側面、背面および前記正面と背面の端部のフラップ側面から形成され、前記フラップ側面には本体を閉じる留め具が設けられ、前記正面と背面の上部に一対の貫通穴を有し、収納しようとする鍵と共に前記キーホルダーで一つに束ねることで本体と一体化させるような、簡易な構造で折り畳み可能な、前記フラップ側面で鍵全体を覆い包むようにカバーし、留め具で閉じることができるところを特徴とするキーケース。
【考案の詳細な説明】
【技術分野】
【０００１】  本考案は鍵を重ねて本体と共に固定し、鍵全体を包み込むように、例えば、正面、側面、背面ならびに正面端部と背面端部に設けられたパタパタ開閉するフラップ側面を折りたたみ、最後に両フラップ側面を重ねて覆い、留め具で閉じることができるコンパクトなキーケースに関するものである。
【背景技術】
【０００２】  １つ以上の鍵を携帯する際、鍵を裸のままで束ねるか、キーケースに入れて携帯していた。
【先行技術文献】
【特許文献】
【０００３】
【特許文献１】実開昭６４−１０４７０６  登録実用新案公報（Ｕ）
【特許文献２】特開２００９−００２０２８  公開特許公報（Ａ）
【考案の概要】
【考案が解決しようとする課題】
【０００４】  鍵を携帯する際、裸のままでは、衣服または収納した部分をひっかけたり、傷つけたりすることがあり、また、束ねた鍵のジャラジャラとした鍵同士の接触音が不快になったりもする。キーケースに入れると占有スペースを多く必要とし、鞄や衣服のポケットなどに収納した場合、その部分が膨らんでしまい、目立ち美観を損ねてしまう。これまで考案されてきた小型・薄型のキーケースは、特許文献１の場合、鍵とケースが分離していまい鍵の脱落の危険性があることが欠点となる。また、特許文献２の場合、本体の部品点数が多くなり故障率が高くなる危険性があり、専用の鍵を用いたり、鍵を加工する必要があったりすることも欠点となる。また重量も大きくなる。そこで、束ねた鍵とケースとが一体化され、簡易な構造で寿命が長く、極めて軽量コンパクトで携帯性に優れ、外部からの衝撃に強く、かつ取り出し易さを損なわずに、ケースの中に収納し留め具で閉じられるキーケースを提供することにより、多くの問題を一挙に解決しようとするものである。
【課題を解決するための手段】
【０００５】  一本以上の鍵を収納するキーケースであって、前記キーケースは、本体とキーホルダーで構成される。前記本体は、正面、側面、背面および前記正面と背面の両端部に設けられたフラップ側面から形成される。前記両フラップ側面には本体を閉じる留め具が設けられ、本体で鍵を覆うように包み、折り畳んでいき、最後にフラップ側面同士を重ね合わせて、留め具で留めることにより、鍵の飛び出しを防ぐ。前記本体正面と背面の上部に一対の貫通穴を有し、収納しようとする鍵と共に前記キーホルダーで一つに束ねることで一体化させ、キーケースと鍵が離脱することを防ぐ。簡易な構造で折り畳み可能な、前記フラップ側面で鍵全体を覆うようにカバーし、留め具で閉じることにより諸問題を解決している。
【考案の効果】
【０００６】  本考案のキーケースを用いることにより、鍵を包み込むように収納できるため、鍵による直接の損傷を防げ、携行中の鍵同士の接触音が抑えられる。キーホルダーにより、本体と鍵を共に束ねるため、フラップ側面を解放しても、鍵の脱落がない。本体を簡易な構造にすることで、部品点数を減らし、長寿命化を図り、かつ軽量コンパクトで携帯性に優れる。コンパクトに収納できるため、衣服や鞄に納めても省スペースで済み、目立たないため、美観にも優れる。開閉できるフラップ側面があるため、ケースからの鍵の飛び出しが防げる。フラップ側面を開けばすぐに鍵にアクセスでき、鍵を束ねているキーホルダーを支点に、一本だけケースの上部側に突出させることにより、解錠作業も楽に行える利点がある。また、他のチェーンに本体ごと付加させることにより、ポケット等からの脱落防止も図れる。また本考案のキーケースを多用することにより自家と職場など分類にも役立つ。本考案のキーケース単体のみならず、さまざまなものとの組み合わせがきる自由度を持ち合わせており、コンパクトゆえに様々なスタイルで利用ができる。
【図面の簡単な説明】
【０００７】
【図１】本考案のキーケースの一実施例を示す正面図である。
【図２】本考案のキーケースの一実施例を示す背面図である。
【図３】キーケース本体の展開図である。
【図４】鍵の取出しの際のフラップ側面開放図である。
【図５】本キーケースより鍵を使用する際の一実施例である。
【図６】本キーケースの活用の実施例である。
【考案を実施するための形態】
【０００８】  図１は、本体１として革状の素材、収納しようとする鍵３を束ねるキーホルダー２としてキーリング、留め具１６ａ、１６ｂとしてスナップボタンを用いた一実施例である。前記キーホルダーは、本体正面１１に設けられた貫通穴１５ａを通り、収納する鍵３と背面１３を全て貫通し、束ねる。本体１を折り畳み、鍵３を覆い包むようにし、フラップ側面１４ａと１４ｂを重ね合わせ、そこに設けられた一対の留め具１６ａ、１６ｂで留めることにより、本体を閉じた状態で保持できる。
【０００９】  図２は、背面１３から見た図である。上部に貫通穴１５ｂを有する。
【００１０】  図３は、本体１の展開図であり、正面１１、側面１２、背面１３とキーケースを開閉するための正面端部に設けられたフラップ側面１４ａ、背面端部に設けられたフラップ側面１４ｂから成る。正面１１と背面１３の上部には、キーホルダーを通す一対の貫通穴１５ａと１５ｂが設けられている。両フラップ側面に一対の留め具１６ａ、１６ｂが設けられている。
【００１１】  図４は鍵の取出しにおいて、留め具を外し、フラップ側面を解放した図であり、簡単に鍵にアクセスすることが可能である。
【００１２】  図５のように、使用する鍵を束ねているキーホルダー２を支点にし、反転させると、解錠作業が簡便に行える。
【００１３】図６の様に、他のキーチェーンに本体ごと取り付けることも容易なため、従来の鍵のぶら下げにも付加でき、汎用性が高い。
【００１４】本考案において、本体１は一つの部材が望ましいが、正面、背面、側面、フラップ側面など任意の部位に分割し、つなぎ合わせて形成することも可能であり、素材も柔らかいもの、固いものなど本考案の有する機能を実現できるものであれば材質を問わない。また、正面、背面、側面、フラップ側面の角は、直角のみならず、面取りや丸角にすることにより、引っ掛かりを防止できる。キーホルダーは、リング状、チェーン状、ワイヤー状、棒状など、鍵と本体を共に束ねることが可能で、抜け落ちることのない部材であれば、材質、形状は問わない。また、留め具は、スナップボタン、マグネット、ボタン、マジックテープなど、フラップ側面同士を留めることが可能であれば材質、形状は問わない。
また、本考案は、便宜的にフラップ側面を開閉可能な箇所のように記しているが、柔らかい革状の素材であれば、本体全体を自由に広げることができるので、フラップ側面のみが可動するものと限定するものではない。
【符号の説明】
【００１５】１・・・本体
２・・・キーホルダー
３・・・鍵
１１・・・正面
１２・・・側面
１３・・・背面
１４ａ・・・フラップ側面（正面端）
１４ｂ・・・フラップ側面（背面端）
１５ａ・・・貫通穴（正面側）
１５ｂ・・・貫通穴（背面側）
１６ａ・・・留め具（フラップ側面１４ａ側）
１６ｂ・・・留め具（フラップ側面１４ｂ側）
【図１】
0003222528.tif 000003
【図２】
0003222528.tif 000004
【図３】
0003222528.tif 000005
【図４】
0003222528.tif 000006
【図５】
0003222528.tif 000007
【図６】
0003222528.tif 000008